(57)【要約】ルーフ部と３壁面を形成し、フレーム構造体で支持される防蚊ネットを含んだ折畳式防蚊ルーム構造体が開示されている。フレーム構造体は折畳式防蚊ルーム構造体の第４壁面を提供する外壁の下端にヒンジ式に搭載されている。折り畳み状態の防蚊ネットは外壁に取り付けられた水平ロールと垂直ロールに巻き上げられる。この巻き上げと引き出しは、手動でも、モーター駆動あるいは油圧式でも実施できる。防蚊ネットに陽除けシートや雨除けシートを提供することもできる。底部フレームの前縁部をヒンジ式に回動させ、スペース調整させることもできる。
2007503801.tif 000002
【特許請求の範囲】
【請求項１】
折畳式防蚊ルーム構造体であって、その３壁面は、３体の回動式フレーム（３）、（４）、（１１）を含んだ構造部に搭載された防蚊ネットで提供され、第４壁面を提供する外壁（１）の最下部を基点とした回動軸を備えており、そのルーフ部は防蚊ネットまたは折畳可能なシート材料で提供されていることを特徴とする折畳式防蚊ルーム構造体。
【請求項２】
ルーフ部と１壁面とを折畳状態で形成する防蚊ネットは、外壁（１）に取り付けられた水平スプリングロール（９）に巻き上げられ、他の２壁面のそれぞれはスプリング式垂直ロール（１０）に巻き上げられることを特徴とする請求項１記載の折畳式防蚊ルーム構造体。
【請求項３】
本折畳式防蚊ルーム構造体の引き出しと巻き上げは、外壁（１）の縁部に固定され、パイプ及び/又はホース（１４）で連結された油圧/水圧ピストンシリンダー（１３）で提供され、１シリンダーのピストン（１６）はモーター駆動または手動ポンプ（１５）でホース（１７）を介して駆動されることを特徴とする請求項１記載の折畳式防蚊ルーム構造体。
【請求項４】
ピストン（２３）の端部には連結リンク（２７）を介し、フレーム（１１）に搭載され、延伸部（２５）を備えて形成された長形収容体（２１）内部で移動するロール（２０）が提供されており、外壁（１）に面する側でピストンは外壁の外面でスライドすることができる延伸部（２２）を有しているか、傾斜上面を備えたコンソール（２２）がピストンの移動面に搭載されていることを特徴とする請求項１記載の折畳式防蚊ルーム構造体。
【請求項５】
本折畳式防蚊ルーム構造体の引き出しと巻き上げは、パイプ（５）を回動させる手動手段、電気モーター、油圧/水圧モーターまたは空圧モーター（１８）で提供されることを特徴とする請求項１記載の折畳式防蚊ルーム構造体。
【請求項６】
フレーム（１１）の水平部（１９）は、ロール（９）と連結され、防蚊ネット、陽除け布及び透明雨除け布で成る連続シートの機能を交換できるロールで置換されていることを特徴とする請求項１記載の折畳式防蚊ルーム構造体。
【請求項７】
本折畳式防蚊ルーム構造体の側面とルーフ部の防蚊ネット（２）は１枚のテント状に提供され、フレーム（３）、（４）及び（１１）に固定されていることを特徴とする請求項１記載の折畳式防蚊ルーム構造体。
【請求項８】
弾性材料が防蚊ネット（２）に織り込まれており、ネットを収縮させることを特徴とする請求項１記載の折畳式防蚊ルーム構造体。
【請求項９】
防蚊ネット（２）には折り畳み用のスプリング（３２）が提供されていることを特徴とする請求項１記載の折畳式防蚊ルーム構造体。
【請求項１０】
フレーム（１１）の両側はヒンジ（３５）を含んでおり、フレーム前縁部を回動させることを特徴とする請求項１記載の折畳式防蚊ルーム構造体。
【発明の詳細な説明】
【技術分野】
【０００１】
【背景技術】
【０００２】
防蚊ネットは普通、窓やドアを覆ったり、寝床を包囲するように設置され、非利用時には捲り上げられている。
【発明の開示】
【発明が解決しようとする課題】
【０００３】
本発明の防蚊ネットはリビングルーム、作業場あるいは寝室を提供するように広げることができる安価な折畳式防蚊ルーム構造体の壁面やルーフ部の代用として利用され、非利用時には、例えば外壁に向けて折畳み収納できる。
【課題を解決するための手段】
【０００４】
本発明の防蚊構造体は、効果が限定的であり、有害でもある蚊取りバルサム、殺虫スモーク等々を利用することなく、夕刻や夜間に快適な屋外空間を提供する。
【０００５】
昼間は、この折畳式防蚊ルーム構造体は防蝿用に利用することもできる。
【０００６】
本発明の防蚊構造体のルーフ部は陽除け布または雨除け布で覆うことができ、日光や雨から折畳式防蚊ルーム構造体内部を保護することができる。
【０００７】
本発明を詳細に説明するため折畳式防蚊ルーム構造体の実施例を添付の図面を利用して解説する。
【発明を実施するための最良の形態】
【０００８】
図１で示す展開状態の本発明の折畳式防蚊ネット２は防蚊ルーム構造体のルーフ部と３壁面を含んで成る。
【０００９】
防蚊ネットは、例えばアルミ製であるフレーム３、４、１１で支持されて展開し、図２で示すような出入口（１９）を提供する。
【００１０】
フレームの下方部は水平パイプ５を含んでいる。水平パイプ５は外壁と床に留具７で固定されたパイプ体６内で相対回転できる
内側パイプ５はパイプ６の内側端部６を越えて延び、クロスボルトの形態で全フレームをそのポジションで保持する。
【００１１】
折畳み状態では、ネット２は水平ロール９と２つの垂直スプリング式ロール１０に巻き上げられる。
【００１２】
水平ロール９内のネットの縁部はフレーム１１の水平部１９に固定されている。フレーム同士はロープ１２で互いに連結されている。
【００１３】
フレーム１１がパイプ６周囲を下方に回動されると、ネットはフレーム水平部９から引き出され、他のフレーム３及び４もロープ１２によって引き出される。
【００１４】
外壁１前方の充分な空間によって、フレーム１１は床まで回動でき、水平部１９は床に繋がれ、水平ロール９のスプリング力によっても引き戻せないようになっている。
【００１５】
あるいは、水平ロール９のスプリングはそのポジションにロックされる。この別例においては、水平ロール９で水平部１９を提供し、ネットの他端部を外壁に固定させてもよい。
【００１６】
その後、垂直ロール１０内の２つの垂直ネットを引き出し、ロール９及び/又はフレーム３、４、１１からのネットに、例えば面ファスナーで固定することができる。
【００１７】
本折畳式防蚊ネット構造体の引き出し/巻き上げは連動された複数のモーター１８で提供することもできる。例えば、モーターでパイプ５を回動させ、フレーム１１を９０度回動させて随意の選択ポジションでロックさせるように自動化することができる。
【００１８】
手動でも構わないがモーターは電動、油圧/水圧または空圧駆動でよい。
【００１９】
本発明の防蚊ルーム構造体の別実施例においては、構造体引き出し、巻き上げは２つの油圧ピストンシリンダー装置１３で提供される。この装置１３はパイプ/ホース１４で相互連結されており、一方のシリンダーの下端は他方のシリンダーの上端と連結されている。スペースの関係で、シリンダーを望遠鏡形態の伸縮形状とすることができる。
【００２０】
モーター駆動または手動の油圧ポンプ１５はシリンダー１３の一方とホース連結１７されており、ピストンを駆動する。ホース１４を介して運動は他方のシリンダー１３のピストンに同サイズのモーションを伝播する。ハンドル２９はどのポジションにでもロックできる。
【００２１】
シリンダー１３とフレーム１１が垂直である防蚊ルーム構造体の当初折り畳み“デッド”ポジションに対処するため（図３と図４）、フレーム１１の片側にはスリット３１を有した長形収容部２１が提供されている。収容部内にはピストン２３の端部が、ストップ３０が提供された連結リンク２７を介してロール２０によって導かれる。
【００２２】
好適には、傾斜上側部２２を備えたコンソールがピストンの移動面で外壁に搭載される。
【００２３】
当初の下方移動中にピストンまたはコンソール２２はフレーム１１を徐々に外壁から押し離す。
【００２４】
ロール２０が収容部２１の端部に到達すると、それは収容部の延伸部２５内に押し入れられる。フレームとピストンとの角度変化は充分に大きく、ピストンはフレームに直接作用し、それを９０度の残余角度分だけ押して床にまで押し下げる。
【００２５】
ロール９に水平フレーム１９の代わりに別の類似ロールを提供し、それらロール間で防蚊ネット、陽除け布、透明雨除け布で成る連続シートの適当な交換を行うことで、本発明防蚊ルーム構造体は陽差し除けと雨除けの機能をも果たす。
【００２６】
例えば、本防蚊ルーム構造体の折畳み状態のシート全体をロール９に巻き上げることができるが、その場合、ロールの最外側層は陽除け布とし、その下の層は防蚊ネットとし、最内側は防水透明布とすることができる。
【００２７】
昼間は、陽除け部分をロール９から引き出す。暗くなる前に陽除け部分をロールに巻き上げ、ロール１９のハンドル手段で防蚊ネットをロール９から引き出す。
【００２８】
ロール１９はスプリング式でなくてもよいが、歯車とロック用のフックを提供して自在な位置に固定できるようにする。
【００２９】
ルーフ構造部にロール１０から垂直防蚊ネット２を手動で固定させるのを回避し、ロール９とフレーム１９に沿った出入口全体を固定させるのを回避するため、側面とルーフ部のネット部を結合してフレーム３、４、１１に固定された１枚の連続的テントとする。ロール９と１０は不要となる。
【００３０】
四角形状の代わりにフレームを丸型とすることもできる。
【００３１】
本防蚊ルーム構造体の折り畳み状態ではネットを巻き上げ形態ではなく折り畳むことができるがスペースがさらに必要となる。
【００３２】
折り畳まれた状態のネットを係留させるため、ロープで布やネットを外壁に繋ぐための器具を外壁１に用意する。または長形ヒンジ式またはスプリング式フラップを、３枚の折り畳まれたネットのそれぞれの上に、固定、押圧及び陽除け目的で提供できる。フラップはシリンダー１３で油圧式に作動させることができる。
【００３３】
さらに、ネットを収縮させるために弾性材料をそれぞれのネットに固定または織り込むことができる。側面とルーフの間の２角部のそれぞれに弾性ロープを提供できる。
【００３４】
あるいは、ネットの折り畳みはネットに固定されたスプリング３２で制御できる（図５と図６）。
【００３５】
スプリング材料はプラスチック、例えばポリプロピレンでよい。図６で示すように、個々のスプリング３２の長軸方向は、折り畳み状態のスプリングの全厚みを最小となるように折り畳み方向に対して斜めにする。
【００３６】
構造体の折り畳み状態ネット２を支持し、構造体を上下させるため、連続ロープ１２をフレーム３と４の上部の穴に通し、防蚊ルーム構造体の両側から外壁１の歯車を介して、外壁１に搭載された手動またはモーター駆動ウィンチで同一ドラムに巻き付ける。
【００３７】
防蚊ルーム構造体を展開させるため、ゴムブロック等のバネ式または弾性要素を外壁１とフレーム３の脚部との間及びフレーム３、４、１１の脚部間に搭載できる。
【００３８】
陽射除け雨除けはフレーム４と１１の間の最外側フレームで防蚊ネット２を布と交換することで提供される。
【００３９】
外壁１の前にテラス壁３６が存在する場合には（図７）、フレーム１９は床まで移動することが妨害されるため、一方のフレーム１１にはヒンジ３５が提供され、防蚊ルーム構造体が展開されるときフレームの外端部３７は垂直下方に回動することができる。
【００４０】
ヒンジ３５内のゴムブリックのバネまたは弾性要素は回動を提供し、ヒンジの下側のストップはその回動を制限する。
【図面の簡単な説明】
【００４１】
【図１】図１は外壁１を利用した本発明の折畳式防蚊ルーム構造体の１実施例を断面で示しており、外壁１は４構成壁面のうちの１壁面を構成する。
【図２】図２は外壁１に向けて折り畳まれた状態の本発明の折畳式防蚊ルーム構造体の正面図である。
【図３】図３は本発明で利用できる油圧/水圧装置を示す正面図である。
【図４】図４は図３をＩ−Ｉから見た側面図である。
【図５】図５はスプリングとネット２を中途延伸させた状態のプラスチックスプリング３２の断面図である。
【図６】図６は図５をＩＩ−ＩＩから見た図である。
【図７】図７は展開スペース不足のために変形させた本発明の折畳式防蚊ルーム構造体である。
【図１】
2007503801.tif 000003
【図２】
2007503801.tif 000004
【図３】
2007503801.tif 000005
【図４】
2007503801.tif 000006
【図５】
2007503801.tif 000007
【図６】
2007503801.tif 000008
【図７】
2007503801.tif 000009
【国際調査報告】
2007503801.tif 000010
2007503801.tif 000011